(57)【要約】【課題】カードを迅速な位置決め及び排出するために、一側に排出機構を具備するカードコネクタを提供する。【解決手段】カードコネクタ１００は、主本体１、排出機構２及び略三角形状ストッパ部材３を具備する。主本体１は複合ソケット構造を有し、その一横側に形成された肩１０及び主本体１の先端に形成された複数の端子を有する。排出機構２は、カードコネクタ内にカードを位置決めし、又はカードコネクタからカードを排出するために、肩１０の上の主本体１の横側に配置されている。ストッパ部材３は、カードコネクタ１００内に小カードを挿入及び位置決めするよう小カードを案内し、肩１０に配置されている。排出機構２を押圧することにより、カードは迅速にカードコネクタ１００内に挿入され位置決めされる。カードが排出機構２を再度押圧すると、カードはカードコネクタ１００から排出される。【選択図】図１
2006012828.tif 000002
【特許請求の範囲】
【請求項１】
主本体及び排出機構を具備するカードコネクタであって、
前記主本体は、該主本体の一側に第１フック部材を具備し、
前記排出機構は、押圧ブロック、排出バー、位置決めブロック及びばねを具備し、
前記押圧ブロックは、該押圧ブロックの一側に当接部を、反対側に第２フック部を具備し、
該第２フック部の上の前記押圧ブロックにスルーホールが形成されており、
前記排出バーは、該排出バーの一端にＬ形状曲げ部を、反対側の端に突出ガイド部を具備し、
前記位置決めブロックは、第１ガイド溝及び第２ガイド溝を具備し、
前記ばねは該ばねの対向する両端に固定部を有し、
前記排出バーの前記Ｌ形状曲げ部は、前記スルーホールを貫通して前記押圧ブロックに接続され、
前記排出バーの前記突出ガイド部は、前記位置決めブロックの第１ガイド溝内に受容され、
前記第１フック部材及び前記第２フック部は、前記排出機構が前記主本体の一横側に配置されるよう前記ばねの固定部をそれぞれ引掛け、
カードが前記カードコネクタ内に挿入される際に、前記カードは前記排出機構を押圧すると、前記ばねがばね力を発生して前記カードコネクタ内に前記カードを迅速に位置決めし、
前記カードが前記カードコネクタから排出される際に、前記カードは、前記排出機構を押圧するように前方へ押圧されると、前記ばねが戻りばね力をを発生して前記カードコネクタから前記カードを排出することを特徴とするカードコネクタ。
【請求項２】
前記主本体は複合ソケットであり、
前記主本体の前記横側に、前記排出機構と共に且つ前記排出機構の下に肩が配置されていることを特徴とする請求項１記載のカードコネクタ。
【請求項３】
前記カードコネクタ内に小カードを配置するよう該小カードを案内するために、前記肩に配置された略三角形状ストッパ部材をさらに具備することを特徴とする請求項２記載のカードコネクタ。
【請求項４】
前記複合ソケットは、Ｅｘｐｒｅｓｓカード／３４又はＥｘｐｒｅｓｓカード／５４の仕様を有するカードを収容することを特徴とする請求項２記載のカードコネクタ。
【請求項５】
前記押圧ブロック及び前記位置決めブロックが一旦組み立てられると前記排出バーに当接するために、前記押圧ブロックの内壁から突出ブロックが延びていることを特徴とする請求項１記載のカードコネクタ。
【請求項６】
前記カードが前記カードコネクタ内に挿入される際に、前記第１ガイド溝に受容された前記突出ガイド部は前記第１ガイド溝の経路に沿って位置決め場所まで移動することを特徴とする請求項１記載のカードコネクタ。
【請求項７】
前記カードが前記カードコネクタから排出される際に、前記突出ガイド部は前記第２ガイド溝の経路に沿って移動し前記第１ガイド溝まで戻ることを特徴とする請求項１記載のカードコネクタ。
【請求項８】
前記カードが前記カードコネクタから排出される際に、前記突出ガイド部は前記第２ガイド溝の経路に沿って移動し前記第１ガイド溝まで戻ることを特徴とする請求項６記載のカードコネクタ。
【請求項９】
前記肩に配置された固定プレートと前記主本体の挿入端に配置されたＬ形状ブロックとを有するシールド機構をさらに具備し、
前記Ｌ形状ブロックは前記固定プレートに回転可能に連結されていることを特徴とする請求項２記載のカードコネクタ。
【請求項１０】
前記固定プレートは、第１ガイド部、スロット及び第２ガイド部を有し、
前記第１ガイド部は、前記固定プレート及び前記Ｌ形状ブロック間の回転位置に配置され、
前記第２ガイド部は、前記第１ガイド部とは反対側の前記固定プレートの一端に配置され、
前記スロットは、前記第１ガイド部及び前記第２ガイド部間に配置され、
前記第１ガイド部及び前記第２ガイド部は、前記カードを前記カードコネクタ内に迅速に挿入するよう案内するために使用され、
前記Ｌ形状ブロックは、前記スロット内に受容され得る垂直延出部を有することを特徴とする請求項９記載のカードコネクタ。
【請求項１１】
カードコネクタと協働する排出機構であって、
当接部、スルーホール及びフック部を有する押圧ブロックであって、前記当接部は前記カードコネクタに挿入された少なくとも１枚のカードと接触し、前記フック部は前記カードコネクタから突出する前記押圧ブロックと、
複数のガイド溝を有する位置決めブロックと、
前記スルーホールを通る一端及び前記ガイド溝内を移動可能な他端を有する排出バーと、
前記フック部及び前記カードコネクタを接続するために前記カードコネクタの一側に配置されたばねと
を具備することを特徴とする排出機構。
【請求項１２】
前記押圧ブロック及び前記位置決めブロックが一旦組み立てられると前記排出バーに当接するために、前記押圧ブロックの内壁から突出ブロックが延びていることを特徴とする請求項１１記載の排出機構。
【請求項１３】
前記カードコネクタは、Ｅｘｐｒｅｓｓカード／３４又はＥｘｐｒｅｓｓカード／５４の仕様を有するカードを収容することを特徴とする請求項１１記載の排出機構。
【請求項１４】
主本体及び排出機構を具備し大カード及び小カードを受容するカードコネクタであって、
前記主本体は、奥行きの浅い位置に前記小カードを案内する略三角形状ストッパ部材が配置された肩を一側に有すると共に前記大カード及び前記小カードを案内する側壁を他側に有し、
前記排出機構は、前記肩より先端側に、押圧ブロック、排出バー、位置決めブロック及びばねを具備し、
前記主本体の一側又は前記略三角形状ストッパ部材に第１フック部材を設け、
前記押圧ブロックは、該押圧ブロックの一側に当接部を、反対側に第２フック部を具備し、
該第２フック部の上の押圧ブロックにスルーホールが形成されており、
前記排出バーは、該排出バーの一端にＬ形状曲げ部を、反対側の端に突出ガイド部を具備し、
前記位置決めブロックは、第１ガイド溝及び第２ガイド溝を具備し、
前記ばねは該ばねの対向する両端に固定部を有し、
前記排出バーの前記Ｌ形状曲げ部は、前記スルーホールを貫通して前記押圧ブロックに連結され、
前記排出バーの前記突出ガイド部は、前記位置決めブロックの第１ガイド溝内に受容され、
前記第１フック部材及び前記第２フック部は、前記排出機構が前記主本体の一横側に配置されるよう前記ばねの固定部をそれぞれ引掛け、
カードが前記カードコネクタ内に挿入される際に、前記カードは前記排出機構を押圧すると、前記ばねがばね力を発生して前記カードコネクタ内に前記カードを迅速に位置決めし、
前記カードが前記カードコネクタから排出される際に、前記カードは、前記排出機構を押圧するように前方へ押圧されると、前記ばねが戻りばね力をを発生して前記カードコネクタから前記カードを排出することを特徴とするカードコネクタ。
【請求項１５】
前記略三角形状ストッパ部材は前記位置決めブロックと一体に形成されていることを特徴とする請求項１４記載のカードコネクタ。
【発明の詳細な説明】
【技術分野】
【０００１】
本発明はカードコネクタに関し、より詳細には、カードを迅速に挿入、排出できるカードコネクタに関する。
【背景技術】
【０００２】
ＰＣＭＣＩＡ（パーソナルコンピュータメモリカード国際協会）インタフェースは、コンピュータ及びその周辺機器に使用されている。ＰＣＭＣＩＡインタフェースは、主としてコンピュータメモリーカードの規格使用を制定している。この規格に適合するＩＣカードはＰＣＭＣＩＡカード（短くＰＣカードとも称される）と称され、この規格に適合するソケットはＰＣＭＣＩＡソケットと称される。ＰＣＭＣＩＡカードは、コンピュータ及びその周辺機器を接続することに広く使用されている。ノートブックコンピュータ用周辺機器は、コンピュータ本体の寸法に制限があるので、それら周辺機器を外部で接続する必要がある。このため、ＰＣＭＣＩＡインタフェースは最も適切なインタフェースの一つになる。現在まで開発されているＰＣカードは主として、ノートブックコンピュータのデータを伝送するため、又はローカルエリアネットワークとしてユーザが嵩張る周辺機器を運ぶ必要がある面倒を無くするために使用される。
【０００３】
より良い伝送インタフェースを提供するために、ＰＣＭＣＩＡ機構は、より器量、より薄型、より高速、より容易に使用でき、従来のＰＣカードよりよりＩ／Ｏモデルに好適であるＥｘｐｒｅｓｓカードを開発している。このＥｘｐｒｅｓｓカードは、２つの仕様、すなわち34mmの幅を有するＥｘｐｒｅｓｓカード／３４及び54mmの幅を有するＥｘｐｒｅｓｓカード／５４を有する。
【特許文献１】特開２００３−１２３０２７号公報
【発明の開示】
【発明が解決しようとする課題】
【０００４】
Ｅｘｐｒｅｓｓカードは、カードコネクタ内に挿入されると、カードコネクタのソケット内に載置され、ソケットの先端に移動するまで指により押圧される。カードの仕様が異なるので、使用者が挿入中にカードコネクタの挿入端にカードを整列させるために時間がとられるのが通常である。このため、カードコネクタ内にカードを迅速に挿入及び位置決めすることができない。さらに、挿入中に、使用者は、カードがカードコネクタ内に挿入完了したかどうか確認できないので、カードを押圧するために力を印加し続けてしまう。カードコネクタは長期にわたって力を受け、容易に損傷してしまう。
【０００５】
従って、本発明は、カードを迅速な位置決め及び排出するために、一側に排出機構を具備するカードコネクタを提供することを目的とする。
【課題を解決するための手段】
【０００６】
本発明によれば、カードコネクタは主本体及び排出機構を具備する。主本体は、その一側に配置された第１フック部材を有する。排出機構は、押圧ブロック、排出バー、位置決めブロック及びばねを有する。押圧ブロックは、その一側に当接部を、その反対側に第２フック部を具備する。第２フック部の上の押圧ブロックにスルーホールが形成されている。排出バーは、その一端にＬ形状曲げ部を、反対側の端に突出ガイド部を具備する。位置決めブロックは、第１ガイド溝及び第２ガイド溝を具備する。ばねはその対向する両端に固定部を有する。排出機構及び主本体が組み立てられると、排出機構は主本体の一横側に配置され、Ｌ形状曲げ部はスルーホールを貫通すると共に押圧ブロックに接続され、排出バーの突出ガイド部は位置決めブロックの第１ガイド溝内に受容され、第１フック部材及び第２フック部はばねの固定部をそれぞれ引掛ける。カードが押圧ブロックの当接部を押圧すると、ばねはばね力を発生してカードコネクタ内にカードを迅速に位置決めすることを促進する。カードが再度押圧されると、カードは排出機構を再度押圧し、ばねは戻りばね力を発生してカードコネクタからカードを排出する。
【０００７】
主本体は複合ソケットであり、主本体の一側に設けられた肩を有する。
【０００８】
カードコネクタは、カードコネクタ内に小カードを位置決めするよう案内するための略三角形状ストッパ部材をさらに具備し、ストッパ部材は肩に配置される。
【０００９】
カードコネクタは、肩に配置された固定プレートと、主本体の挿入端に配置されたＬ形状ブロックとを有するシールド機構をさらに具備する。Ｌ形状ブロックは固定プレートに回転可能に連結されている。
【００１０】
固定プレートは、第１ガイド部、第２ガイド部及びスロットを有する。第１ガイド部は、固定プレート及びＬ形状ブロックの回転位置に配置されている。第２ガイド部は、第１ガイド部とは反対側の固定プレートの一端に配置されている。スロットは、第１ガイド部及び第２ガイド部間に配置されている。第１ガイド部及び第２ガイド部は、カードをカードコネクタ内に迅速に挿入するよう案内するために使用される。Ｌ形状ブロックは、スロット内に受容され得る垂直延出部を有する。
【００１１】
合成ソケットは、Ｅｘｐｒｅｓｓカード／３４又はＥｘｐｒｅｓｓカード／５４の使用を有するカードを収容することができる。
【００１２】
突出ブロックは、押圧ブロック及び位置決めブロックが組み立てられる際に、排出バーに当接するために押圧ブロックの内壁から延びている。
【発明を実施するための最良の形態】
【００１３】
最初に、本発明のカードコネクタ１００の構造を示す図１を参照する。カードコネクタ１００は、カードコネクタ１００は、主本体１、排出（エジェクト）機構２及び略三角形状ストッパ部材３を具備する。主本体１は複合ソケット（複数の異なるカードを受容するソケット）であり、肩１０は主本体１の一側に配置されている。主本体１は、その前側に設けられた複数の端子を有する。排出機構２は、カードコネクタ１００内にカード４，５（図４及び図５参照）を位置決めするか、又はカードコネクタ１００からカード４，５を排出するために、肩１０の上の主本体１の横側に配置されている。排出機構２が他側すなわち左側壁１４の外ではなく、一側の肩１０の上の主本体１の横側といういわばデッドスペースに配置されているので、印刷回路基板（図示せず）上におけるカードコネクタ１００の占有幅を大きくすることはない。ストッパ部材３は、カードコネクタ１００内にカード４，５を位置決めするよう案内するために使用され、肩１０に配置されている。ストッパ部材３は、カード４，５の先端近傍の上下主面に設けられた突条（図示せず）のみと係合することにより、第１収容空間１２（図４参照）から外れたカード４，５の先端部を第１収容空間１２へ案内し位置決めする。
【００１４】
図２及び図３と共に図１を続けて参照すると、主本体１は、肩１０に第１フック部材１１を具備する。主本体１は印刷回路基板上に配置される。排出機構２は、押圧ブロック２０、排出バー２４、位置決めブロック２７及びばね３０を具備する。押圧ブロック２０は、その一側から延びる当接部２１と、反対側に形成された第２フック部２２とを有する。突出ブロック３２は押圧ブロック２０の内壁から延びており、スルーホール２３は第２フック部２２の上の押圧ブロック２０に形成される。排出バー２４は、その一端にＬ形状曲げ部２５と、反対側の端に突出ガイド部２６とを具備する。位置決めブロック２７は、その一面に形成された第１ガイド溝２８及び第２ガイド溝２９を有する。ばね３０は、その両端に形成された固定部３１を有する。
【００１５】
排出バー２４のＬ形状曲げ部２５は、排出バー２４が押圧ブロック２０と関係するように、押圧ブロック２０のスルーホール２３を貫通する。位置決めブロック２７は、押圧ブロックに関係するよう押圧ブロック２０の内壁に沿って移動し、突出ガイド部２６は第１ガイド溝２８内に受容され、突出ブロック３２は排出バー２４に当接して排出バー２４を固定する。組み立てられた押圧ブロック２０及び位置決めブロック２７は、肩１０の上である主本体１の一横側に配置される。肩１０の第１フック部材１１はばね３０の固定部３１に引掛けられ、押圧ブロック２０の第２フック部２２はばね３０の他の固定部３１に引掛けられるので、押圧ブロック２０及び位置決めブロック２７を主本体１の一横側に位置決めする。ストッパ部材３は肩１０に配置されている。これでカードコネクタ１００が完成する。
【００１６】
図４は、本発明のカードコネクタ１００に小カード４を挿入する作業を示す図である。第１収容空間１２は、主本体１の左側壁１４及び排出機構２により画定される。第１収容空間１２は小カード４を収容する。小カード４は、排出機構２を主本体１の先端まで前方へ押圧し、次にカードコネクタ１００内に配置される。
【００１７】
図５は、本発明のカードコネクタ１００に大カード５を挿入する作業を示す図である。第２収容空間１３は、主本体１の前側、並びに主本体１の肩１０及び左側壁によって画定される。第２収容空間１３は大カード５を収容する。大カード５は、排出機構２を主本体１の先端まで前方へ押圧し、次にカードコネクタ１００内に配置される。
【００１８】
図３（Ａ）及び図６と共に図４を続けて参照する。図６は、カードコネクタ１００内に収容された小カード４を示す図である。小カード４がカードコネクタ１００内に挿入される場合、小カード４は第１収容空間１２内に載置され、小カード４の先端は排出機構２の当接部２１に当接して抵抗を受ける。指が小カード４を押圧し、小カード４は押圧ブロック２０の当接部２１を押圧して主本体１の先端に向かって移動する。排出機構２の第２フック部２２に引掛けられたばね３０は、押圧ブロック２０の移動を受けて伸び、ばね力を発生する。同時に、押圧ブロック２０の移動を受けて、排出バー２４が第１ガイド溝２８の経路に沿って移動し、（Ａ点から実線矢印に沿ってＢ点を通り、位置決め位置Ｃ点までの）位置決め場所に到る。このように、小カード４は、図６に示されるようにカードコネクタ１００内に挿入される。小カード４がカードコネクタ１００から排出される場合、指が小カード４を押圧し、小カード４は、押圧ブロック２０が主本体１の先端に向かって移動するように、押圧ブロック２０の当接部２１を押圧する。押圧ブロック２０の移動を受けると、排出機構２の第２フック部２２に引掛けられたばね３０は、戻りばね力を発生する。同時に、押圧ブロック２０に引掛けられた排出バー２４は、押圧ブロック２０の移動を受けて第２ガイド溝２９の経路に沿って移動し、図１に示されるように（位置決めＣ点から破線矢印に沿ってＤ点を通り、Ａ点まで戻る）第１ガイド溝２８に戻る。小カード４は、このようにカードコネクタ１００から排出される。主本体１は、排出機構２及びストッパ部材３以外に小カード４の右側面をガイドする部材を有していない。このため、排出機構２が左側壁１４側に設けられた場合、小カード４の排出時に小カード４の後端側（図４の下側）を反時計回りに回転させる回転モーメントが加わり、小カード４の左側面が左側壁１４から離れて斜めに排出されるおそれがある。しかし、本発明においては排出機構２が一側すなわち右側に配置されるので、小カード４の排出時に小カード４を時計回りに回転させる回転モーメントが加わる。このため、小カード４は、左側壁１４に沿って傾くことなく排出される。
【００１９】
図３（Ａ）及び図６と共に図５を参照する。大カード５のカードコネクタ１００への挿入及びカードコネクタ１００からの排出は、左右の側壁１４，１５に案内される点を除き、小カード４と同じである。従って、その作業は再度詳細には説明しない。
【００２０】
図７は、本発明の別の実施形態に従ったカードコネクタ１００の平面図である。カードコネクタ１００は、主本体１、排出機構２及びシールド機構６を具備する。主本体１は、その一横側に設けられた肩１０と、主本体１の先端に配置された複数の端子とを有する。排出機構２は、カードをカードコネクタ１００内に位置決め、及びカードをカードコネクタ１００から排出するために、肩１０の上で主本体１の横側に配置される。シールド機構６は、肩１０に配置された固定プレート６０と、主本体１の挿入端に配置されたＬ形状ブロック６１とを有する。Ｌ形状ブロック６１は、固定プレート６０に回転可能に連結される。
【００２１】
シールド機構６の構造を示す図８と共に図７を参照する。固定プレート６０は、固定プレート６０及びＬ形状ブロック６１の回転部に形成された第１ガイド部６４と、第１ガイド部６４とは反対側の端部に形成された第２ガイド部６５と、第１ガイド部６４及び第２ガイド部６５間に形成されたスロット６２とを有する。第１ガイド部６４及び第２ガイド部６５は、カードコネクタ１００内にカードを迅速に挿入するよう案内するために使用される。Ｌ形状ブロック６１は、その一端にスロット６２内に挿入できる垂直延出部６３を有する。本実施形態において、カードコネクタ１００は小カード４を収容するためのみに使用される。小カード４がカードコネクタ１００に挿入される場合、第１ガイド部６４は、小カードが第２ガイド部６５に到るまでＬ形状ブロック６１を前方へ押圧するよう小カード４を案内する。このとき、垂直延出部６３は、図８（Ｂ）に示されるようにスロット６２内に受容される。小カード４は、排出機構２まで第２ガイド部６５に沿って前方へ連続して移動する。その後、排出機構２は、小カード４をカードコネクタ１００内に位置決めする。
【００２２】
本発明の実施形態を参照して本発明を詳細に説明したが、当業者であれば、特許請求の範囲の真髄及び範囲内で全ての変形、変更ができることを容易に理解できる。例えば、ばね３０の一方の固定部３１を引掛ける第１フック部材１１は、主本体１に形成する代わりにストッパ部材３に形成してもよい。また、ストッパ部材３を位置決めブロック２７と一体に形成し、部品点数を削減してもよい。従って、特許請求の範囲の真髄及び範囲は、本明細書に含まれる実施形態の説明に限定すべきでない。
【図面の簡単な説明】
【００２３】
【図１】本発明のカードコネクタの構造を示す平面図である。
【図２】（Ａ）は図１のカードコネクタの分解平面図、（Ｂ）は図１のカードコネクタの側面図である。
【図３】（Ａ）は図１のカードコネクタの排出機構の分解斜視図、（Ｂ）は（Ａ）に示された排出機構の部分断面図、（Ｃ）はカム部材の軌跡を示す平面図である。
【図４】図１のカードコネクタに小カードを挿入する作業を示す平面図である。
【図５】図１のカードコネクタに大カードを挿入する作業を示す平面図である。
【図６】図１のカードコネクタ内に収容される小カードを示す平面図である。
【図７】シールド機構に関連する図１のカードコネクタの平面図である。
【図８】（Ａ）は図７のシールド機構の斜視図、（Ｂ）は垂直延長部がシールド機構のスロット内に受容された、図７のシールド機構を示す別の斜視図である。
【符号の説明】
【００２４】
１      主本体
２      排出機構
３      略三角形状ストッパ部材
６      シールド機構
１０    肩
１１    第１フック部材
１４    側壁
２０    押圧ブロック
２１    当接部
２２    第２フック部
２３    スルーホール
２４    排出バー
２５    Ｌ形状曲げ部
２６    突出ガイド部
２７    位置決めブロック
２８    第１ガイド溝
２９    第２ガイド溝
３０    ばね
３１    固定部
３２    突出ブロック
６０    固定プレート
６１    Ｌ形状ブロック
６２    スロット
６３    垂直延出部
６４    第１ガイド部
６５    第２ガイド部
１００  カードコネクタ
【図１】
2006012828.tif 000003
【図２】
2006012828.tif 000004
【図３】
2006012828.tif 000005
【図４】
2006012828.tif 000006
【図５】
2006012828.tif 000007
【図６】
2006012828.tif 000008
【図７】
2006012828.tif 000009
【図８】
2006012828.tif 000010